(57)【要約】　　　（修正有）【課題】オーバーハング屋根全体を意匠的に美しく見せながら雨水処理の経路を単純化させるとともに、屋根回りの部品数を低減させ、また保守点検しやすい、オーバーハング屋根の雨水処理構造を提供する。【解決手段】屋根本体より突出したオーバーハング屋根部１の雨水の処理構造であって、オーバーハング屋根部は建物本体屋根部の水勾配と対応した形態としてなり、オーバーハング屋根部には軒先側の屋根先端側より建物側の屋根基端側に向けて、雨水を誘導する谷部６が形成されていることを特徴とするオーバーハング屋根の雨水処理構造。【選択図】　図１
2004027736.tif 000002
【特許請求の範囲】
【請求項１】
屋根本体より突出したオーバーハング屋根部の雨水の処理構造であって、オーバーハング屋根部は建物本体屋根部の水勾配と対応した形態としてなり、オーバーハング屋根部には軒先側の屋根先端側より建物側の屋根基端側に向けて、雨水を誘導する谷部が形成されていることを特徴とするオーバーハング屋根の雨水処理構造。
【請求項２】
請求項１に記載のオーバーハング屋根の雨水処理構造において、オーバーハング屋根部は、屋根板部と、この屋根板部上に載置された勾配調整用合板と、これらの上に敷設された防水シートとを主体として構成され、勾配調整用合板はオーバーハング屋根部に雨水誘導用の谷部を形成するように配置されていることを特徴とするオーバーハング屋根の構造。
【発明の詳細な説明】
【０００１】
【発明の属する技術分野】
本発明は住宅のオーバーハング屋根部の雨水処理の構造に係わり、詳しくはオーバーハング屋根部の、軒先側の屋根先端側より建物側の屋根基端側に向けて、雨水を誘導する谷部を形成したオーバーハング屋根の雨水処理構造に関するものである。
【０００２】
【背景の技術】
従来の住宅における屋根の形状としては、屋根部の雨水を軒先に向かって一方向に流す片流れ形状や、左右に振り分け二方向に流す切妻形状、三方向に流す寄せ棟形状などが知られている。これらの屋根の雨水処理構造は、軒先に到達した雨水をその後、横樋（側溝または排水溝）と、立樋を介し排水するもので、軒先回りに雨水を処理する樋等が必要となるものである。
【０００３】
ところで、一戸建住宅においては、プラン上、建物本体より突出した出窓やサンルームなどが設けられることがあるが、出窓やサンルームを設けた住宅では、この部分を建物本体より突出してオーバーハングさせられることがある。
【０００４】
このオーバーハングさせられた屋根部は、通常の屋根形状とは異なるためその雨水処理は、オーバーハングを設けない建物本体の屋根の雨水処理構造とは異なるものとなる。特に、オーバーハング屋根部においては、建物の意匠上目立つ部分となるため、単純に樋を設置するような構造では、デザイン的に不満が残り、また構造も複雑化してしまうなどの難点がある。
【０００５】
【発明が解決しようとする課題】
本発明は上記事情に鑑みてなされたもので、次のような課題を解決しようとするものである。
第一に、従来オーバーハング屋根の雨水処理は、オーバーハング屋根部の屋根基端側に立樋を設置して排水することが多く、建物立面からは狭い部分に樋等の部品が突出して見えることでの意匠上の不満が課題である。
【０００６】
第二に、オーバーハング屋根の樋の形状は、短い間隔で曲部が必要となるため、枯葉などでの詰ることがあり、高いところで詰まったものを取り除かなければならないという保守点検が課題である。
【０００７】
【発明の目的】
本発明は、上記課題を解決するためになされたもので、その目的とするところは、オーバーハング屋根全体を意匠的に美しく見せながら雨水処理の経路を単純化させるとともに、屋根回りの部品数を低減させ、また保守点検しやすい、オーバーハング屋根の雨水処理構造を提供することにある。
【０００８】
【課題を解決しようとする手段】
本発明に係る雨水処理構造を、後述する実施形態での符号を用いて説明すれば、請求項１記載の発明は、オーバーハング屋根部１における雨水の排水方法に関するものであって、オーバーハング屋根部の屋根先端側１２に勾配調整シート２２，２３と下地合板２４によって屋根面に勾配を作り、屋根防水シート上（図示せず）に張り付けることで、谷部６が形成される。谷部６によって、雨水を棟部および屋根先端側１２から屋根基端側１３へ自然に案内し、さらに屋根基端側から隣接した建物全体の陸屋根部２に誘導する。
【０００９】
以上のようにオーバーハングの屋根の雨水は、オーバーハング屋根の近くには樋等を設置しないで排水可能となることによって、屋根構造が単純化し意匠的に美しく見せることができ、さらに軒先部品の削減が可能で生産、施工、運搬上の問題が少なくなることにより、前記の課題第一項が解決できる。
【００１０】
また請求項２の発明は、前記のオーバーハング屋根部１における雨水処理構造において、オーバーハング屋根部１を、屋根板部１４と、この屋根板部上に載置された勾配調整用合板２１と、これらの上に敷設された防水シート（図示せず）とを主体として構成し、勾配調整用合板は、オーバーハング屋根部に雨水誘導用の谷部６を形成するように配置したものである。
【００１１】
このような構成によれば、防水シートの下地合板２４をかさ上げすることで勾配ができ、開放した谷部６を持った集水形状のオーバーハング屋根を形成することで、枯葉などでの目詰りを取り除くなどの保守点検が不要となり、メンテナンスが簡単にできる雨水処理構造となり、前記の課題第二項が解決できる。
【００１２】
【発明の実施形態】
以下、本発明の実施の形態を、図面を参照して説明する。
図１は本発明の雨水処理構造が適用された住宅の屋根の概略を示すもので、この屋根は、建物の周囲に沿って歩行可能な陸屋根部２と、中央に設けられた置き屋根部３を有している。
【００１３】
前記陸屋根部２は、住宅の躯体とほぼ同じ幅を持った左右一組の第一の屋根床部４、４と、これら左右の第一の屋根床部４，４の間に設けられた前後一組の第二の屋根床部５、５によって構成されている。
前記置き屋根部３は、実施例では陸屋根部２の中央に切り妻型形状に設けられたもので、妻面を第一の屋根床部４，４に面して設けられている。
【００１４】
また陸屋根部２の一部を構成する第一の屋根床部４は、自身のほぼ中央部を頂点として両端部にむけて図１の矢印のように、下り勾配の水勾配が形成され、さらに両端部には排水溝７が設けられて横樋（図示せず）と立樋（図示せず）に雨水を流すようになっている。
【００１５】
一方陸屋根部２の一部を構成する第二の屋根床部５も、そのほぼ中央部を頂点として両端部に向けて、図１の矢印に示すように下り勾配の水勾配が形成されており、また第二の屋根床部５の先端側は第一の屋根床部よりも高い位置となるように設けられている。さらに、この第二の屋根床部５に連続してオーバーハング屋根の屋根部１が設けられている。
【００１６】
図２はこのオーバーハング屋根部１の平面図を示すもので、図中の矢印　アは雨水の流れ方向を示している。オーバーハング屋根部１は矩形の鉄骨の骨組体（図示せず）に、複数枚のＡＬＣ板１８が組み込まれてなるもので、自身の中央部に棟部８を形成して、左右の雨水が図２のアのように流れる水勾配が形成され、また両端出隅部を棟部と同様に高くして、屋根基端側に向けて雨水を誘導する谷部６を、屋根部上に形成するようになっている。
【００１７】
図３はオーバーハング屋根部１の基本構造をしめすもので、屋根下地としての機能を持つＡＬＣ板１８、１８の間には段差が生じにくいようにそれぞれ連結テープ１９が貼られた平面が確保されており、またこれらＡＬＣ板の上には、勾配調整用合板２１が設けられている。
【００１８】
この勾配調整用合板２１は、図４に示すように、オーバーハング屋根部１の屋根先端側１２の出隅部９に位置して取り付けられた三角形状をしたもので、屋根下地となるＡＬＣ板１８の上に取り付け用ビス１６で止められて取り付けられるようになっている。またこの勾配用調整合板上には図５で示すように勾配調整シート２２が貼り付けられている。
【００１９】
勾配調整用シート２２、２３は、図８で示すように断面で見ると、左右での厚さが異なり、上部面に勾配が形成されている。この左右の高低差により勾配調整がなされるものである。なお図５の勾配調整シート２３は、勾配調整用合板の底辺と平行になるように、ＡＬＣ板に貼り付けられるものである。
【００２０】
つぎに図６を参照して下地合板２４について説明すると、この下地合板２４は、前記勾配調整シート２２と、前記勾配調整用シート２３間に、差し渡されて、防水シートの下地となるもので、この下地合板２４によって屋根基端側に向かって下がる水勾配（ｆａｃｅ＝Ｃｅｎｔｕｒｙ＞１／９０）を持った面が形成されるものである。
【００２１】
さらに図７、図８下地合板２４とＡＬＣ板１８との間の段差解消テープ２５の貼り付け構造を示すもので、下地合板と屋根板部（ＡＬＣ板）との段差を軽減するためコーキング材２６（材料名　モルホワイト）が施工され、その上に、段差解消テープ２５（材料名　ロンテープ）が貼り付けられ、これにより下地合板とＡＬＣ板との間の段差がなくなり、平滑性が確保されている。
そして以上のように下地合板が取り付けられたオーバーハング屋根部には、防水シート（図示せず）が貼り付けられ、軒先回りには図３のようにパラペット兼用の軒先カバー２０が取り付けられて完成される。
【００２２】
以上のように防水シートが貼り付けられた，本実施例のオーバーハング屋根部では、オーバーハング屋根の屋根先端側の出隅部９に勾配調整用合板２１が取り付けられて、図２に示すように、谷部６を挟んで水勾配が形成され、またこのオーバーハング屋根部の水勾配は建物本体屋根部の水勾配と対応した形態として構成されるため、オーバーハング屋根部１と建物本体側の陸屋根部２との取り合いも複雑化せずに簡単な構造とすることができる利点がある。
【００２３】
また実施例の雨水処理構造では、置き屋根部３に降った雨水は図１に示すように、置き屋根部の頂点の棟部から軒先部に向かう水勾配に沿って流れ、第二の屋根床部５か、第一の屋根床部４に誘導される。
【００２４】
一方、第二の屋根床部５に降った雨水は図１に示すように、そのほぼ中央部を頂点とした水勾配にそって、より低い位置にある両端部へ流れ、直交して隣接する第二の屋根床部５より一段低くなっている第一の屋根床部４に案内される。
【００２５】
また、第一の屋根床部４に降った雨水は、中央部を頂点として、図１の矢印のように勾配に従って両端部に流れ、第一の屋根床部４の両端部に設けた排水溝７に流れ込んで、横樋（図示せず）を介してさらに立樋を通って、建物外部へ排水される。
【００２６】
オーバーハング屋根部１に降った雨水は、中央の棟部８を頂点として図２に示すような矢印の水勾配に沿ってアのように流れ谷部６に誘導される。
一方オーバーハング屋根部の屋根先端側１２の出隅部９に降った雨水は、水勾配に沿ってイのように谷部６に誘導される。そして谷部６に流れ込んだ雨水は、建物側の最も低い隅部１０に向かって図２のウの方向に案内される。
【００２７】
さらに隣接する第一の屋根床部４に流れ込み、建物本体の屋根に降った雨水と同様、排水溝７を介して外部に排水される。置き屋根部３や第二の屋根床部５の雨水も同様に、それぞれの棟から水下に合流し、隣接する建物短辺の第一の屋根床部に誘導され、さらに軒先の横樋を通過し立樋を介して建物の外部へ排水される。
【００２８】
以上の実施例によれば、オーバーハング屋根の上面に直接雨水の流れる谷部を作り、隣接する屋根に直接誘導できるため、横樋、立樋が不要となり軒先納まりの単純化ができる。その結果　設計上の制限が少なく、他の屋根とのバランスをとりやすくなり意匠上美しく見せることができる。
【００２９】
また本実施例では、オーバーハング屋根部分の防水シートを部分的にかさ上げさせ、直接オーバーハング屋根に雨水が方向性を持って流れる谷部が作られることにより　隣接する建物本体の屋根部分に案内ができることで　オーバーハング部分の　横樋、立樋が不要となるため、部品数低減による生産上の効果と、屋根上面での作業で完結するので工業化しやすく、設計、製作、運搬での制限が少なくなる効果がある。
【００３０】
また屋根面に樋があると、枯葉などで詰りが起り　汚れを取り除くなど、保守点検が必要であり、簡便に雨水排水処理ができ、メンテナンスのしやすい屋根構造が欲しいという要望があるが、本実施例はオーバーハング屋根上の開放された部分に直接雨水の流れが作られることで雨水処理が簡便になり、また樋などの詰まりを起しやすい狭窄部分がないことにより、保守点検がしやすいという効果もある。
なおがき
なお上記実施例では、鉄骨骨組み体とＡＬＣ板を用いたオーバーハング屋根について説明したが、発明要旨を変更しない限りにおいてのその他の屋根構造であってもよい。
【００３１】
【発明の効果】
本発明によれば、オーバーハング屋根に関し、全体を意匠的に美しく見せながら雨水処理の経路を単純化させるとともに、屋根回りの部品数を低減させ、また保守点検しやすいオーバーハング屋根の雨水処理構造を提供できる。
【図面の簡単な説明】
【図１】本発明の一実施形態を示す、屋根の全体の斜視図である。
【図２】図１の一実施形態を示すオーバーハング屋根部分の平面図である。
【図３】前記実施形態の構成部材の屋根板部を示す斜視図である。
【図４】前記実施形態の構成部材の勾配調整用合板を示す斜視図である。
【図５】前記実施形態の構成部材の勾配調整シートを示す斜視図である。
【図６】前記実施形態の構成部材の下地合板を示す斜視図である。
【図７】前記実施形態の構成部材の段差解消テープを示す斜視図である。
【図８】前記実施形態の
【Ａ―Ａ´】線を示す断面図である。
【符号の説明】
１　　オーバーハング屋根部
２　　陸屋根部
３　　置き屋根部
４　　第一の屋根床部
５　　第二の屋根床部
６　　谷部
７　　排水溝
８　　棟部
９　　出隅部
１０　隅部
１２　屋根先端側（軒先側）
１３　屋根基端側（建物本体側）
１４　屋根板部
１６　取り付け用ビス
１８　ＡＬＣ板
１９　連結テープ
２０　軒先カバー
２１　勾配調整用合板
２２　勾配調整シート（屋根先端側）
２３　勾配調整シート（屋根基端側）
２４　下地合板
２５　段差解消テープ
２６　コーキング材
ア　　棟部から谷部への流れ方
イ　　出隅部から谷部への流れ方向
ウ　　谷部の流れ方向
【図１】
2004027736.tif 000003
【図２】
2004027736.tif 000004
【図３】
2004027736.tif 000005
【図４】
2004027736.tif 000006
【図５】
2004027736.tif 000007
【図６】
2004027736.tif 000008
【図７】
2004027736.tif 000009
【図８】
2004027736.tif 000010